(57)【要約】【課題】複数の加熱部上に大型の調理器具を架け渡した状態で加熱調理する場合の加熱の過不足を低減し、調理の出来上がりに優れ、高い安全性を有する加熱調理器を提供する。【解決手段】予め定められた所定の大きさで略四角形状の大型調理器具４を複数の加熱部３０，３１上に架け渡した状態で加熱可能な加熱調理器において、所定位置に大型調理器具４が載置されたときの少なくとも３か所のコーナ部に対応するトッププレート２の下方位置に、コーナ部近接センサ８ａ，８ｂ，８ｃを設ける。【選択図】図１
2018101471.tif 000002
【特許請求の範囲】
【請求項１】
トッププレートと、所定距離離間して配設された複数の加熱部とを備え、予め定められた所定の大きさで略四角形状の大型調理器具を複数の加熱部上に架け渡した状態で加熱可能な加熱調理器であって、
大型調理器具は、トッププレート上の所定位置に載置されるように設定されており、
所定位置に大型調理器具が載置されたときの少なくとも３か所のコーナ部に対応するトッププレートの下方位置に、調理器具の有無を検知するコーナ部近接センサを有する加熱調理器。
【請求項２】
請求項１に記載の加熱調理器は、さらに、
大型調理器具を用いて加熱調理するための大型調理モードを設定可能な調理モード設定手段と、
調理モード設定手段で大型調理モードが設定されると、コーナ部近接センサで調理器具が検知されるかどうかを判定する調理器具判定手段と、
複数の加熱部の加熱量を制御する加熱制御手段と、を有する加熱調理器。
【請求項３】
請求項２に記載の加熱調理器において、
加熱制御手段は、加熱調理開始時に、少なくとも３つのコーナ部近接センサで調理器具が検知されない限り、全ての加熱部での加熱を禁止する加熱調理器。
【請求項４】
請求項２または３に記載の加熱調理器は、さらに、
各加熱部に設けられた各加熱部上の調理器具の温度を検知する温度センサと、を備え、
加熱制御手段は、加熱調理中に、調理器具を検知しているコーナ部近接センサが２つ以下になると、各加熱部の温度センサの検知温度の温度差が所定の閾値未満であるかどうかを判定し、
各加熱部の温度センサの検知温度の温度差が所定の閾値未満である場合、所定の再設定用判定時間内に少なくとも３つのコーナ部近接センサで調理器具が検知されるまで、全ての加熱部での加熱量を低減させ、
各加熱部の温度センサの検知温度の温度差が所定の閾値以上である場合、所定の再設定用判定時間内に少なくとも３つのコーナ部近接センサで調理器具が検知されるまで、全ての加熱部での加熱を停止させる加熱調理器。
【発明の詳細な説明】
【技術分野】
【０００１】
本発明は、調理器具を加熱する複数の加熱部を備えた加熱調理器に関する。特に、本発明は、複数の加熱部上に大型の調理器具を架け渡した状態で加熱調理が可能な加熱調理器に関する。
【背景技術】
【０００２】
一般に、コンロバーナや加熱コイルなどの加熱部を複数有する加熱調理器では、各加熱部上に各加熱部で加熱可能な範囲内の大きさを有する調理器具が載置され、単独で加熱調理が行われる。一方、大量の被調理物を一度に加熱調理するために、１つの加熱部で加熱可能な範囲よりも十分に大きな調理プレートや調理鍋などの大型の調理器具が用いられる場合がある。このような大型の調理器具を専用の加熱調理器を用いることなく加熱調理するために、複数の加熱部上に調理器具を架け渡した状態で加熱調理することが提案されている（例えば、特許文献１）。
【先行技術文献】
【特許文献】
【０００３】
【特許文献１】特開２０１１−２９０９７号公報
【発明の概要】
【発明が解決しようとする課題】
【０００４】
ところで、特許文献１の加熱調理器では、複数の加熱部のそれぞれで調理器具を用いて個別に加熱調理する場合と、複数の加熱部上に大型の調理器具を架け渡した状態で加熱調理する場合とを区別するために、２つの加熱部間の中間部に渦電流検出を行う副電磁誘導コイルを設け、副電磁誘導コイルに出力を行ったときにコイル渦電流が検出されるかどうかから、トッププレート上の大型の調理器具の存在を確認している。
【０００５】
しかしながら、複数の加熱部上に架け渡される大型の調理器具を用いると、調理器具が前後左右にある程度ずれた状態でも、加熱部間の中間部の副電磁誘導コイルで調理器具が検知されてしまう。その結果、調理器具のずれの小さな加熱部では調理器具が加熱される一方、調理器具のずれの大きな加熱部では調理器具の温度が上昇せず、加熱に過不足が生じやすい。しかも、調理器具の大きさは様々であるから、任意の大きさの調理器具で加熱調理が行われて、調理器具のずれが生じると、部分的な加熱の過不足が生じやすい。その結果、調理の進行状態が各加熱部で異なってくるという問題や、調理器具が局部的に高温になるだけでなく、その輻射熱によりトッププレートが高温になるという問題がある。
【０００６】
本発明は上記課題を解決するものであり、本発明の目的は、複数の加熱部上に大型の調理器具を架け渡した状態で加熱調理する場合の加熱の過不足を低減し、もって、調理の出来上がりに優れ、高い安全性を有する加熱調理器を提供することにある。
【課題を解決するための手段】
【０００７】
本発明は、トッププレートと、所定距離離間して配設された複数の加熱部とを備え、予め定められた所定の大きさで略四角形状の大型調理器具を複数の加熱部上に架け渡した状態で加熱可能な加熱調理器であって、
大型調理器具は、トッププレート上の所定位置に載置されるように設定されており、
所定位置に大型調理器具が載置されたときの少なくとも３か所のコーナ部に対応するトッププレートの下方位置に、調理器具の有無を検知するコーナ部近接センサを有する加熱調理器である。
【０００８】
上記加熱調理器では、複数の加熱部上に大型調理器具を架け渡した状態で加熱調理する場合、予め定められた所定の大きさで略四角形状の大型調理器具が専用の調理器具として用いられるから、大型調理器具が複数の加熱部上に適切に配置された場合、コーナ部はトッププレート上の所定位置に固定される。そして、上記加熱調理器は、所定位置に略四角形状の大型調理器具が載置されたときの少なくとも３か所のコーナ部に対応するトッププレートの下方位置に、調理器具の有無を検知するコーナ部近接センサを有するから、大型調理器具が所定位置からずれているかどうかを精度よく確実に判定できる。
【０００９】
好ましくは、上記加熱調理器は、さらに、
大型調理器具を用いて加熱調理するための大型調理モードを設定可能な調理モード設定手段と、
調理モード設定手段で大型調理モードが設定されると、コーナ部近接センサで調理器具が検知されるかどうかを判定する調理器具判定手段と、
複数の加熱部の加熱量を制御する加熱制御手段と、を有する。
【００１０】
上記加熱調理器によれば、専用の大型調理モードを設定する調理モード設定手段を有するから、複数の加熱部のそれぞれで調理器具を用いて個別に加熱調理する場合でなく、大型調理器具を用いて加熱調理する場合にのみコーナ部近接センサでの調理器具の載置の有無の判定を実行させ、その判定結果に基づいて複数の加熱部の加熱量を制御できる。また、調理モード設定手段で大型調理モードが設定された場合にのみコーナ部近接センサで調理器具の有無が判定されるから、複数の加熱部のそれぞれで調理器具を用いて単独で加熱調理する場合や、トッププレート上に調理に使用されない調理器具が置かれている場合のコーナ部近接センサの誤検知を防止できる。
【００１１】
好ましくは、上記加熱調理器において、
加熱制御手段は、加熱調理開始時に、少なくとも３つのコーナ部近接センサで調理器具が検知されない限り、全ての加熱部での加熱を禁止する。
【００１２】
上記加熱調理器によれば、専用の調理器具である略四角形状の大型調理器具を用いて加熱調理する場合、少なくとも３つのコーナ部近接センサで調理器具が検知されなければ、全ての加熱部での加熱を禁止させるから、大型調理器具が部分的に加熱される状態で加熱調理が開始されるのを確実に防止できる。
【００１３】
好ましくは、上記加熱調理器は、さらに、
加熱制御手段は、加熱調理中に、調理器具を検知しているコーナ部近接センサが２つ以下になると、各加熱部の温度センサの検知温度の温度差が所定の閾値未満であるかどうかを判定し、
各加熱部の温度センサの検知温度の温度差が所定の閾値未満である場合、所定の再設定用判定時間内に少なくとも３つのコーナ部近接センサで調理器具が検知されるまで、全ての加熱部での加熱量を低減させ、
各加熱部の温度センサの検知温度の温度差が所定の閾値以上である場合、所定の再設定用判定時間内に少なくとも３つのコーナ部近接センサで調理器具が検知されるまで、全ての加熱部での加熱を停止させる。
【００１４】
加熱調理中に、調理器具を検知しているコーナ部近接センサが２つ以下になると、略四角形状の大型調理器具が所定位置からずれている可能性がある。一方、少なくとも３つのコーナ部近接センサで調理器具が検知されない場合でも、各加熱部に設けられた温度センサの検知温度の温度差が所定の閾値未満であれば、各加熱部の加熱可能な範囲に大型調理器具が存在している程度のずれと考えられる。このようなずれの状態では、いずれの加熱部でも調理を進行させることができるものの、ずれの少ない加熱部とずれの大きな加熱部とで調理の進行状態が異なってくる。従って、所定の再設定用判定時間内に大型調理器具が所定位置に戻されるまで、全ての加熱部の加熱量を低減させた状態で加熱調理を継続させることにより、調理時間を遅延させることなく、調理の仕上がりのばらつきが抑えられる。
【００１５】
これに対して、加熱調理中に、調理器具を検知しているコーナ部近接センサが２つ以下になり、且つ各加熱部の温度センサの検知温度の温度差が所定の閾値以上であれば、加熱部の加熱可能な範囲から大型調理器具が外れている可能性が高い。そのため、加熱調理を継続させると、ずれの少ない加熱部とずれの大きな加熱部とで調理の進行状態に大きな差が生じると考えられる。従って、所定の再設定用判定時間内に大型調理器具が所定位置に戻されるまで、全ての加熱部の加熱を停止させることにより、各加熱部での調理の仕上がりのばらつきが抑えられる。
【発明の効果】
【００１６】
以上のように、本発明によれば、複数の加熱部上に大型調理器具を架け渡した状態で加熱調理する場合、専用の略四角形状の大型調理器具を用いるとともに、少なくとも３つのコーナ部近接センサにより大型調理器具の有無を検知するから、所定位置からの大型調理器具のずれを確実に判定できる。これにより、大型調理器具がずれた状態での加熱調理の開始や継続を防止できる。従って、本発明によれば、各加熱部上での加熱の過不足を防止できるから、調理の出来上がりに優れ、高い安全性を有する加熱調理器を提供することができる。
【図面の簡単な説明】
【００１７】
【図１】図１は、本発明の実施の形態に係る加熱調理器の一例を示す概略平面図である。
【図２】図２は、本発明の実施の形態に係る加熱調理器に大型調理器具を配設した状態の一例を示す概略平面図であり、（ａ）は、大型調理器具が所定位置に配設されている状態を、（ｂ）は、大型調理器具が所定位置からずれて配設されている状態を示す。
【図３】図３は、本発明の実施の形態に係る加熱調理器の制御回路の一例を示すブロック図である。
【図４】図４は、本発明の実施の形態に係る加熱調理器における制御動作の一例を示すフローチャートである。
【発明を実施するための形態】
【００１８】
以下、図面を参照しながら本実施の形態に係る加熱調理器を具体的に説明する。
【００１９】
図１は、誘導加熱調理器に適用した本実施の形態の加熱調理器の一例を示す概略平面図である。図１に示すように、この誘導加熱調理器は、トッププレート２と、トッププレート２の下方に、加熱部として、電磁誘導によって調理鍋やフライパン等を加熱させる左右の加熱コイル３０，３１とを備える。これらの加熱コイル３０，３１は、図示しない上方に開口する箱状の本体ケース内に左右方向で所定距離離間させた状態で収容されており、本体ケースの開口部がトッププレート２によって被閉されている。加熱部としては、コンロバーナや加熱ヒータを用いてもよいし、異なる種類の加熱部を組み合わせてもよい。また、３つ以上の加熱部を設けてもよい。なお、本明細書では、使用者が位置するトッププレート２の手前側を前方、奥側を後方といい、前後方向に幅方向に直交する方向を左右方向といい、前後方向に高さ方向に直交する方向を上下方向という。
【００２０】
加熱コイル３０，３１はそれぞれ単独で加熱制御可能に構成されているとともに、専用の大型調理器具を左右の加熱コイル３０，３１上に架け渡した状態で加熱コイル３０，３１を同時に加熱制御可能に構成されている。なお、本実施の形態では、加熱コイル３０，３１を単独で使用する場合、加熱コイル３０の最大加熱量は、加熱コイル３１のそれよりも大きく設定されているが、専用の大型調理器具が使用される場合、加熱コイル３０の最大加熱量は、加熱コイル３１の最大加熱量と同一となるように制限される。
【００２１】
トッププレート２は、耐熱強化ガラスからなる。トッププレート２には、各加熱コイル３０，３１が単独で使用される場合の鍋などを載置させるための円状の個別用載置表示部２０，２１と、大型調理器具を載置させるための大型調理器具の底面と略同一の大きさの略長方形状の大型用載置表示部２４とが記載されている。また、トッププレート２の前方には、加熱コイル３０，３１を単独で使用して加熱調理する場合の操作部６０，６１及び表示部７０，７１と、大型調理器具を使用して加熱調理する場合の操作部６６及び表示部７２とが設けられている。
【００２２】
各操作部６０，６１には、各加熱コイル３０，３１が単独で使用される場合に加熱調理を開始させる加熱スイッチ（個別調理モード設定部）６２，６４と、加熱コイル３０，３１の加熱量を個別に変更する個別加熱量変更スイッチ６３，６５とが設けられており、操作部６６には、大型調理器具を用いて加熱調理する場合の加熱スイッチ（大型調理モード設定部）６７と、加熱コイル３０，３１の加熱量を同期させて変更する同期加熱量変更スイッチ６８とが設けられている。表示部７０，７１，７２には、加熱量レベルや警告が表示される。
【００２３】
トッププレート２の大型用載置表示部２４の３か所のコーナ部近傍の裏面にはそれぞれ、コーナ部近接センサ８ａ，８ｂ，８ｃがトッププレート２に接触するように配置されている。これらのコーナ部近接センサ８ａ，８ｂ，８ｃの検知信号は、後述する制御装置Ｃに出力される。
【００２４】
コーナ部近接センサ８ａ，８ｂ，８ｃとしては、例えば、磁性体の近接を検知する磁気感応スイッチ（近鉄スイッチ）、反射型の非接触赤外線センサや光センサ、静電容量型近接センサなどが用いられる。これらの中でも、調理器具の形状や色が制限されず、また鉄製の大型調理器具に対して応答性に優れる磁気感応スイッチが好ましい。
【００２５】
トッププレート２の個別用載置表示部２０，２１の中心部近傍の裏面には、サーミスタなどの接触式の温度センサ４０，４１がトッププレート２の裏面に接触するように配置されている。これらの温度センサ４０，４１の検知信号は、制御装置Ｃに出力される。
【００２６】
図２は、トッププレート２上に調理プレート４を載置した状態を示す概略平面図であり、（ａ）は、所定位置の大型用載置表示部２４上に適切に調理プレート４が載置されている状態を、（ｂ）は、所定位置から調理プレート４がずれて載置されている状態を示す。本実施の形態の大型調理器具は、鉄製で略長方形状の調理プレート４からなる。調理プレート４は、誘導加熱調理器である場合、磁性体であれば特に限定されず、例えば、ステンレス製のものであってもよい。また、加熱部としてコンロバーナを有する加熱調理器である場合、鉄製以外に、例えば、銅製などの他の金属製のものであってもよい。
【００２７】
調理プレート４の長辺及び短辺の長さはそれぞれ、トッププレート２上に調理プレート４が載置されたときに左右の加熱コイル３０，３１が調理プレート４で完全に覆われるように、左加熱コイル３０の左端から右加熱コイル３１の右端までの距離よりも長く、各加熱コイル３０，３１の前後端の距離よりも長く設定されている。なお、調理プレート４は、コーナ部近接センサ８ａ，８ｂ，８ｃで上方の調理器具の有無を検知可能な形状であれば長辺及び短辺が略同一長さの略正方形状であってもよい。また、コーナ部は、所定のＲを有するコーナＲ部に形成されていてもよいし、切り欠かれていてもよい。
【００２８】
図２（ａ）に示すように、調理プレート４が適切に配置されている場合、全てのコーナ部近接センサ８ａ，８ｂ，８ｃで調理器具が検知される。これに対して、図２（ｂ）に示すように、略長方形状の調理プレート４が所定位置からずれて配置された場合、少なくとも１つのコーナ部近接センサ８ａ上から調理プレート４が離れるため、調理器具が検知されない状態となる。特に、略四角形状の大型調理器具の隅部であるコーナ部に対応した位置にコーナ部近接センサ８ａ，８ｂ，８ｃを設ければ、少しのずれでも調理器具が検知されなくなるため、早期に調理プレート４のずれを判定できる。従って、略長方形状の調理プレート４を用いる場合、少なくとも３か所、好ましくは４か所のコーナ部に対応するトッププレート２の下方にコーナ部近接センサを設け、これらによって調理器具が検知されれば、所定位置に専用の調理プレート４が配置されていると判断できる。これにより、調理プレート４がずれた状態での加熱調理の開始や、加熱調理中に調理プレート４がずれた場合の加熱調理の継続を防止できる。
【００２９】
なお、図示しないが、トッププレート２の大型用載置表示部２４の長辺の中間部の裏面に、上方の調理器具の有無を検知する中間部近接センサをトッププレート２に接触するように配置させてもよい。このように、コーナ部近接センサ８ａ，８ｂ，８ｃだけでなく、中間部近接センサを設けることにより、さらに大型調理器具のずれを精度よく検知できる。また、加熱コイル３０，３１上にそれぞれ調理器具を設置し、単独で加熱調理するときに誤って加熱スイッチ６７を操作した場合、コーナ部近接センサ８ａ，８ｂ，８ｃで各調理器具が検知されても、中間部近接センサで上方の調理器具が検知されないから、調理モードの設定を誤った場合や、使用されていない調理器具がトッププレート２上に置かれている場合の誤検知も防止できる。
【００３０】
図３に示すように、本実施の形態の誘導加熱調理器の制御装置Ｃには、上記コーナ部近接センサ８ａ，８ｂ，８ｃ、加熱コイル３０，３１、温度センサ４０，４１、加熱スイッチ６２，６４，６７、加熱量変更スイッチ６３，６５，６８、表示部７０，７１，７２などが接続されている。図示しないが、制御装置Ｃには、ＣＰＵ、ＲＯＭ、ＲＡＭ、タイマ等を備え、制御プログラムが格納されたマイクロコンピュータが組み込まれている。また、制御装置Ｃは、機能構成として、加熱スイッチ６７が操作されると、コーナ部近接センサ８ａ，８ｂ，８ｃの検知信号に基づいて、これらの近接センサ８ａ，８ｂ，８ｃ上の調理器具の有無を判定する調理器具判定部９０、温度センサ４０，４１の検知信号に基づいて、調理器具の温度を判定する温度判定部９１、加熱コイル３０，３１の加熱量を制御する加熱制御部９２、所定の異常が生じた場合に表示部７２から異常を報知させる報知制御部９３などを備える。
【００３１】
図４は、本実施の形態の誘導加熱調理器で大型調理器具を用いて加熱調理する場合の制御動作の一例を示すフローチャートである。
【００３２】
使用者が図示しない電源スイッチをオン操作すると、誘導加熱調理器は待機状態となり、次いで、使用者が大型調理器具を用いた加熱調理を行うために操作部６６で加熱スイッチ６７をオン操作すると、各コーナ部近接センサ８ａ，８ｂ，８ｃで調理器具の有無の判定が開始される（ステップＳＴ１〜ＳＴ３）。そして、全てのコーナ部近接センサ８ａ，８ｂ，８ｃで調理器具が検知されると、同期加熱量変更スイッチ６８の設定に応じて加熱コイル３０，３１の加熱量が同期制御されて加熱調理が開始される（ステップＳＴ４〜ＳＴ５）。
【００３３】
一方、コーナ部近接センサ８ａ，８ｂ，８ｃのいずれかで調理器具が検知されない場合（ステップＳＴ４で、Ｎｏ）、タイマをスタートさせ、加熱コイル３０，３１の加熱を開始させることなく、調理プレート４が載置されていないか、または調理プレート４のずれを使用者に認知させるため、表示部７２を点滅させて警告を報知させる（ステップＳＴ６）。そして、再設定用判定時間（例えば、１分間）が経過するまでに全てのコーナ部近接センサ８ａ，８ｂ，８ｃで調理器具が検知されなければ（ステップＳＴ７で、Ｙｅｓ）、待機状態に戻る（ステップＳＴ１）。これにより、調理プレート４が載置されておらず、異なる調理器具が載置されている状態や調理プレート４がずれた状態での加熱調理の開始を防止できる。
【００３４】
加熱調理が開始すると、コーナ部近接センサ８ａ，８ｂ，８ｃでの調理器具の検知が継続され、加熱調理中に、コーナ部近接センサ８ａ，８ｂ，８ｃのいずれかで調理器具が検知されない場合（ステップＳＴ８で、Ｎｏ）、同様に、タイマをスタートさせ、表示部７２を点滅させて警告を報知させる（ステップＳＴ９）。
【００３５】
次いで、温度センサ４０，４１の検知温度の温度差が所定の閾値（例えば、１０℃）未満であるかどうかが判定される（ステップＳＴ１０）。すなわち、調理プレート４が加熱コイル３１の加熱可能な範囲内でずれていれば、ある程度の加熱は可能であるため、温度センサ４０の検知温度と、温度センサ４１の検知温度との温度差は小さい。一方、所定位置からの調理プレート４のずれが大きくなると、これらの検知温度の温度差が大きくなる。その結果、加熱コイル３０上の調理プレート４での調理の進行状態と、加熱コイル３１上のそれとは異なってくる可能性がある。このため、検知温度の温度差が所定の閾値未満であれば、再設定用判定時間（例えば、１分間）が経過するまで、加熱コイル３０，３１の加熱量を最小加熱量に低下させる（ステップＳＴ１１〜１２）。これにより、低い加熱量で両加熱コイル３０，３１による加熱調理を継続させつつ、調理の仕上がりのばらつきが抑えられる。そして、加熱量を低下させた後、再設定用判定時間が経過しても、コーナ部近接センサ８ａ，８ｂ，８ｃのいずれかで調理器具が検知されなければ、検知温度の温度差が閾値未満であっても、全ての加熱コイル３０，３１の出力を停止させる（ステップＳＴ１３）。これにより、より高い安全性を確保することができる。
【００３６】
一方、検知温度の温度差が所定の閾値以上であれば、再設定用判定時間が経過するまで、全ての加熱コイル３０，３１の出力を停止させる（ステップＳＴ１４〜ＳＴ１５）。これにより、各加熱コイル３０，３１上での調理の仕上がりのばらつきが抑えられる。
【００３７】
なお、再設定用判定時間が経過するまでに全てのコーナ部近接センサ８ａ，８ｂ，８ｃで調理器具が検知されると、加熱コイル３０，３１の加熱量を元に戻して加熱調理を継続させる（ステップＳＴ１６）。これにより、適切な加熱量で調理プレート４の加熱を継続させることができる。
【００３８】
以上のように、本実施の形態の誘導加熱調理器によれば、大量の被調理物を一度に調理するための調理器具として専用の所定の大きさで略四角形状の調理プレート４が用いられるから、複数の加熱コイル３０，３１上に調理プレート４を架け渡した状態で加熱調理するにあたって、トッププレート２上の所定位置に調理プレート４を載置できる。そして、トッププレート２上で略四角形状の調理プレート４の位置が固定されているから、トッププレート２の少なくとも３か所のコーナ部に対応する下方位置に設けたコーナ部近接センサ８ａ，８ｂ，８ｃで調理プレート４の有無を検知すれば、所定位置からの調理プレート４のずれを精度よく確実に検知できる。これにより、調理プレート４がずれた状態での加熱調理の開始や加熱調理の継続を防止できるから、調理プレート４の加熱の過不足が防止され、均等に調理プレート４を加熱できる。従って、本実施の形態の誘導加熱調理器によれば、調理の出来上がり及び安全性を向上させることができる。
【００３９】
（その他の実施の形態）
（１）上記実施の形態では、大型調理器具として略四角形状の調理プレートが用いられているが、調理器具の種類は特に限定されない。例えば、略四角形状の底面を有する調理鍋であってもよい。
（２）上記実施の形態では、２つの加熱部上に架け渡した大型調理器具が用いられているが、３つ以上の加熱部上に架け渡す大型調理器具が用いられてもよい。
（３）上記実施の形態では、大型調理器具を所定位置に載置するために大型用載置表示部が記載されたトッププレートが用いられているが、トッププレートに位置合わせ用の突起等を設けてもよい。また、ガスコンロの場合、大型調理器具が所定位置に載置されるように五徳で大型調理器具の所定部分を保持させてもよい。
【符号の説明】
【００４０】
２                トッププレート
８ａ，８ｂ，８ｃ  コーナ部近接センサ
３０，３１        加熱コイル（加熱部）
４０，４１        温度センサ
【図１】
2018101471.tif 000003
【図２】
2018101471.tif 000004
【図３】
2018101471.tif 000005
【図４】
2018101471.tif 000006